(57)【要約】【課題】▲１▼　歩行又はジョギング時の運動効果を倍加するとともに歩行者の身体姿勢を正しくしたい。▲２▼　日常生活の中で簡単に、足首、ふくらはぎ及び、太ももの脂肪を、取って又は、筋肉を引き締めてスマートに、成りたい▲３▼　下肢の足の裏表及び足首の筋肉、血管、靭帯や、筋及び腱などを刺激することにより健康を増進させたい。以上の事が簡単に出来る靴、サンダル等の履き物を作りたい。【解決手段】履き物▲１▼に、（５）の位置に厚底▲２▼を取り付ける又は、履き物▲１▼と厚底▲２▼が一体化した構造の履き物を作り、靴底は柔軟性の有る素材を使用しする。つま先（３）は、走行、ジョギング、スポーツの時に、つまずかないように丸みをつける。【選択図】　図６
2004016797.tif 000002
【特許請求の範囲】
【請求項１】
靴、サンダル、スリッパ等の履物（１）の底に、履物のつま先から土踏まずまで角度１°から２５°までの角度を、持つ厚底（２）の靴、サンダル、スリッパ等の履き物
【請求項２】
自然な体重移動を伴った歩行・ランニング方法等により自然と下腿の筋肉、筋、靭帯及び血管の伸び縮が出来る靴、サンダル、スリッパ等の履き物
【発明の詳細な説明】
【００１】
【発明の属する技術分野】
▲１▼　この発明は、靴、サンダル、スリッパ等の履き物の底及び、履き物の底につま先から土踏まずまで角度１°から２５°までの角度を、持つ厚底を持つ靴、サンダル、スリッパ等の履き物の底に関する物である。
▲２▼　この発明は、走行、ランニングにおける下肢の筋肉、筋、靭帯及び血管に関する物である。
【００２】
【従来の技術】
▲１▼　従来の靴、サンダル、スリッパ等の履き物は、大半が、かがとの部分が高くなっている物が多くいが、最近かかとからつま先まで一定の角度で上がっているの物もありますが、本発明のようなつま先から、土踏まず迄の部分だけ上がっている物は、ありませんでした。
▲２▼　従来の履き物では、走行、ランニングでは、足の裏表及び足首の筋肉、筋、靭帯及び血管を、一度に伸び縮みが出来ませんでした。
【００３】
【発明が解決しようとする課題】
▲１▼　歩行又はジョギング時の運動効果を倍加するとともに歩行者の身体姿勢を正しくしたい。
▲２▼　日常生活の中で簡単に、足首、ふくらはぎ及び、太ももの脂肪を、取ってスマートに、成りたい
▲３▼　下肢の足の裏表及び足首の筋肉、血管、靭帯や、筋及び鍵などを刺激することにより健康を増進させたい。
以上の事が簡単に出来る靴、サンダル等の履き物を作りたい。
【００４】
【課題を解決するための手段】
▲１▼　靴、サンダル等の履き物（以下履き物に略する）の底に図１の（２）を、設ける
▲２▼　厚底（２）に、角度を付ける図６の（１２）
▲３▼　厚底（２）は、土踏まずの位置から、つま先よりの図６の（５）の位置に設ける。（５）の位置は、履き物を、履いて走行した時に、土踏まずが図６の（９）、（１０）様に、力が掛かりのびる位置にする。
▲４▼　履き物の底は、柔軟性があり図６の（６）の位置を、軽く押しただけで（７）、（８）の方向に開く材質を、使用する。これは、力の作用と反作用を、利用するためである。
【００５】
【発明の実施の形態】
次に、本発明の形態を述べると、
▲１▼　本発明の履き物は、土踏まずの位置よりつま先まで、角度（１２）は１度から２５度の厚底を、設けてつま先上がりの履き物を制作した。この（１２）の角度は、はき始めは、１度から１０度ぐらいにして、なれたら１０度から１５度ぐらいに履き替えるその後は、１５度から、２０度に、２０度から２５度になると一般の走行には、無理があるので、短時間の練習用で使用する。
▲２▼　履き物を、つま先あがりの構造にすると、歩き出す前はつま先が、かがとの位置より上に有りましたが、歩き出すとつま先の位置は、反対になる。つまり本発明は、日常生活の中の歩行で足首の上下運動が、簡単にする事が出来る履き物です。また、つま先（３）は、丸みを付ける
▲３▼　厚底の設ける位置は、土踏まずの中心よりつま先側にする。歩き出して体重が、履き物の（６）にかかりその体重が、力になり（７）、（８）の方向に分散されて、反作用で（９）、（１０）にかかる。そのため足の裏の筋、血管（貫通あるいは吻合静脈）などを伸ばす。
本発明は、何個も試作品を作り、何時間も実際に走行及びランニングを、行って図６の厚底（２）の（５）の位置と角度（１２）を、決めました。
【００６】
【発明の効果】
この為、本発明の履き物を、履く事で、
▲１▼　日常生活の中で簡単に運動効果が得られる。足首の上下運動が簡単に出来る事と、土踏まずの伸び縮み運動が出来る事で、下肢の筋、筋肉、血管、腱、靭帯等が、伸びたり縮んだりするで筋、筋肉、血管、腱、靭帯等に活力を、あたえると同時に老化の予防にもなる。又、血管においては血行が良くなり足の底に溜まりやすい老廃物の排除になると同時に冷え性にも、効果が期待できる。上記の筋、筋肉、血管、腱、靭帯とは、主に、踵骨腱、長腓骨筋、足底方形筋、長指屈筋、虫様筋、長母屈筋、前脛骨筋、小伏在静脈、総背側静脈、貫通あるいは吻合静脈及び、前脛腓靭帯、距舟靭帯、踵腓靭帯、背側踵立方靭帯などである。
▲２▼　美しい歩き方は、かかとから地面に着いてその後つま先を着いて歩く事です。そのためこの履き物を、履くと自然に美しい歩き方を覚える。
▲３▼　この履き物を、使用してランニングや、スポーツなどをした場合従来の履き物より脂肪の燃焼が多いので下肢の余分な脂肪が無くなったり、筋肉が引き締まり足首、ふくらはぎ及び太股がスマートになるダイエット効果がさらに上がります。
【図面の簡単な説明】
【図１】本発明の側面図
【図２】本発明の平面図
【図３】本発明の底面図
【図４】本発明の正面図
【図５】本発明の背面図
【図６】本発明の説明用右側面図断面図
【符号の説明】
（１）は本発明の靴　（２）は本発明の厚底部　（３）は靴の先端部
（４）は厚底の高さ　（５）は厚底部の位置　　（６）は底に掛かる体重
（７）と（８）は（６）が分散された体重すなわち力である
（９）と（１０）は（７）と（８）の反作用の力である
（１１）は靴のかかと部の底角　（１２）は本発明の角度
（１３）は本発明の底部
【図１】
2004016797.tif 000003
【図２】
2004016797.tif 000004
【図３】
2004016797.tif 000005
【図４】
2004016797.tif 000006
【図６】
2004016797.tif 000007
【手続補正書】
【提出日】平成14年9月6日(2002.9.6)
【手続補正２】
【補正対象書類名】図面
【補正対象項目名】全図
【補正方法】変更
【補正の内容】
【図１】
2004016797.tif 000008
【図２】
2004016797.tif 000009
【図３】
2004016797.tif 000010
【図４】
2004016797.tif 000011
【図５】
2004016797.tif 000012
【図６】
2004016797.tif 000013
【手続補正３】
【補正対象書類名】明細書
【補正対象項目名】図面の簡単な説明
【補正方法】変更
【補正の内容】
【図面の簡単な説明】
【図１】本発明の側面図
【図２】本発明の平面図
【図３】本発明の底面図
【図４】本発明の正面図
【図５】本発明の背面図
【図６】本発明の説明用右側面図
【符号の説明】
（１）は本発明の靴　（２）は本発明の厚底部　（３）は靴の先端部
（４）は厚底の高さ　（５）は厚底部の位置　（６）は底に掛かる体重
（７）と（８）は（６）が分散された体重、すなわち外に係る力である
（９）と（１０）は（７）と（８）の反作用の力である
（１１）は靴のかがと部の底角　（１２）は本発明の角度
（１３）は本発明の底部